(57)【要約】【課題】  文字・絵柄の分離処理の処理パラメータを定めるにあたり、その設定作業の利便性を向上できる画像処理装置を提供する。【解決手段】  処理対象となった画像データを取得し、当該画像データに含まれる画像要素の各々を、所定の方法で定めた仮処理パラメータを用いて、複数の画像データプレーンのいずれかに分配するとともに、当該分配して生成した画像データプレーンのうち少なくとも一つを仮処理の結果として表示し、仮処理パラメータの設定変更指示を受けて、仮処理パラメータの設定を変更するとともに、当該変更後の仮処理パラメータを用いた処理を行わせ、仮処理パラメータの設定完了指示を受けて、当該設定完了指示のあった時点での仮処理パラメータを出力する画像処理装置である。【選択図】        図１
2006262257.tif 000002
【特許請求の範囲】
【請求項１】
処理対象となった画像データに含まれる画像要素の各々を、設定されている処理パラメータを用いて、複数の画像データプレーンのいずれかに分配して処理する画像形成装置、に接続され、当該画像形成装置における前記処理パラメータの設定を支援する画像処理装置であって、
処理対象となった画像データを取得する手段と、
前記取得した画像データについて、当該画像データに含まれる画像要素の各々を、所定の方法で定めた仮処理パラメータを用いて、複数の画像データプレーンのいずれかに分配するとともに、当該分配して生成した画像データプレーンのうち少なくとも一つを仮処理の結果として表示する仮処理実行手段と、
前記仮処理パラメータの設定変更指示を受けて、前記仮処理パラメータの設定を変更するとともに、当該変更後の仮処理パラメータを用いた処理を、前記仮処理実行手段に行わせるパラメータ設定変更手段と、
前記仮処理パラメータの設定完了指示を受けて、当該設定完了指示のあった時点での前記仮処理パラメータを、前記画像形成装置へ、処理パラメータとして送信する手段と、
を含むことを特徴とする画像処理装置。
【請求項２】
請求項１に記載の画像処理装置において、
前記仮処理パラメータ及び処理パラメータには、所定の画像データプレーンに分配されるべき画像要素を含む領域に関する座標情報が含まれることを特徴とする画像処理装置。
【請求項３】
請求項１または２に記載の画像処理装置において、
前記仮処理実行手段は、前記仮処理パラメータとして、複数の候補値を生成し、各候補値に対応する画像データプレーンを生成して、それぞれの候補値に対応する仮処理の結果を表示する
ことを特徴とする画像処理装置。
【請求項４】
処理対象となった画像データに含まれる画像要素の各々を、設定されている処理パラメータを用いて、複数の画像データプレーンのいずれかに分配して処理する画像形成装置、に接続され、当該画像形成装置における前記処理パラメータの設定を支援する画像処理装置を用い、
処理対象となった画像データを取得するステップと、
前記取得した画像データについて、当該画像データに含まれる画像要素の各々を、所定の方法で定めた仮処理パラメータを用いて、複数の画像データプレーンのいずれかに分配する仮処理を実行し、当該分配して生成した画像データプレーンのうち少なくとも一つを前記仮処理の結果として表示するステップと、
前記仮処理パラメータの設定変更指示を受けて、前記仮処理パラメータの設定を変更するとともに、当該変更後の仮処理パラメータを用いた前記仮処理を行わせるステップと、
前記仮処理パラメータの設定完了指示を受けて、当該設定完了指示のあった時点での前記仮処理パラメータを、前記画像形成装置へ、処理パラメータとして送信するステップと、
を含むことを特徴とする画像処理方法。
【請求項５】
処理対象となった画像データに含まれる画像要素の各々を、設定されている処理パラメータを用いて、複数の画像データプレーンのいずれかに分配して処理する画像形成装置、に接続され、当該画像形成装置における前記処理パラメータの設定を支援するプログラムであって、コンピュータに、
処理対象となった画像データを取得する手順と、
前記取得した画像データについて、当該画像データに含まれる画像要素の各々を、所定の方法で定めた仮処理パラメータを用いて、複数の画像データプレーンのいずれかに分配する仮処理を実行する手順と、
当該分配して生成した画像データプレーンのうち少なくとも一つを仮処理の結果として表示する手順と、
前記仮処理パラメータの設定変更指示を受けて、前記仮処理パラメータの設定を変更するとともに、当該変更後の仮処理パラメータを用いた前記仮処理を実行する手順と、
前記仮処理パラメータの設定完了指示を受けて、当該設定完了指示のあった時点での前記仮処理パラメータを、前記画像形成装置へ、処理パラメータとして送信する手順と、
を実行させることを特徴とするプログラム。
【発明の詳細な説明】
【技術分野】
【０００１】
本発明は、画像形成装置における処理パラメータの設定を支援する画像処理装置に関する。
【背景技術】
【０００２】
近年では、スキャン機能、コピー機能、ＦＡＸ機能などといった多数の機能を備えた複合機が広く用いられている。また、こうした複合機において、例えばスキャン機能で読み取った画像データに対して種々の画像処理を行いたいという要望も多い。例えば、スキャン機能を用いて読み取った画像データを比較的効率の高い方法で圧縮するために、文字と絵柄とを分離して、それぞれについて適切な圧縮処理を行いたいとする要望がある。
【０００３】
一方、こうした種々の画像処理における処理パラメータを設定させるにあたり、複合機の備えるユーザインタフェース（ＵＩ）画面を階層的に表示して、数多くの処理パラメータを入力させる技術が特許文献１などに開示されている。
【０００４】
しかしながら、複合機のユーザインタフェースは、一般にタッチパネルやボタンなど、押下操作を受け入れるだけのものであることが多く、処理パラメータを定める際に必ずしも操作性が高いとはいえない。
【０００５】
例えば、複合機における画像形成時のパラメータなどの設定には、複合機のメンテナンスサービススタッフが、いわゆるダイアグと呼ばれるパーソナルコンピュータを複合機に接続して、当該パーソナルコンピュータの操作によって、複合機の処理パラメータを設定するようにしている。
【特許文献１】特開平７−３１９６５７号公報
【発明の開示】
【発明が解決しようとする課題】
【０００６】
このように、処理パラメータをメンテナンスサービススタッフに依頼して、そのパーソナルコンピュータを用いて定めてもらうこともできる。また、当該パーソナルコンピュータを利用者側で操作できるようにすれば、利用者が各自処理パラメータを調整することも可能である。
【０００７】
しかしながら、メンテナンスサービススタッフに依頼する場合、設定の変更を希望するたびにメンテナンスサービススタッフを呼んで変更を依頼しなければならず、利便性が低い。
【０００８】
また、各自処理パラメータを調整できるようにしたとしても、現状のダイアグでは、処理パラメータを直接操作するだけであり、処理パラメータの変更による効果を確認するには、一度画像処理を行わせ、その結果を印刷させなければならない。
【０００９】
この事情は、文字・絵柄の分離処理の処理パラメータのように、所望の設定が見出しにくく、処理のたびに調整を要するような処理パラメータの場合に、顕著となる。
【００１０】
本発明は、上記実情に鑑みて為されたもので、文字・絵柄の分離処理の処理パラメータを定めるにあたり、その設定作業の利便性を向上できる画像処理装置を提供することを、その目的の一つとする。
【課題を解決するための手段】
【００１１】
上記課題を解決するための本発明は、処理対象となった画像データに含まれる画像要素の各々を、設定されている処理パラメータを用いて、複数の画像データプレーンのいずれかに分配して処理する画像形成装置、に接続され、当該画像形成装置における前記処理パラメータの設定を支援する画像処理装置であって、処理対象となった画像データを取得する手段と、前記取得した画像データについて、当該画像データに含まれる画像要素の各々を、所定の方法で定めた仮処理パラメータを用いて、複数の画像データプレーンのいずれかに分配するとともに、当該分配して生成した画像データプレーンのうち少なくとも一つを仮処理の結果として表示する仮処理実行手段と、前記仮処理パラメータの設定変更指示を受けて、前記仮処理パラメータの設定を変更するとともに、当該変更後の仮処理パラメータを用いた処理を、前記仮処理実行手段に行わせるパラメータ設定変更手段と、前記仮処理パラメータの設定完了指示を受けて、当該設定完了指示のあった時点での前記仮処理パラメータを、前記画像形成装置へ、処理パラメータとして送信する手段と、を含むことを特徴としている。
【００１２】
ここで前記仮処理パラメータ及び処理パラメータには、所定の画像データプレーンに分配されるべき画像要素を含む領域に関する座標情報が含まれることとしてもよい。
【００１３】
また、前記仮処理実行手段は、前記仮処理パラメータとして、複数の候補値を生成し、各候補値に対応する画像データプレーンを生成して、それぞれの候補値に対応する仮処理の結果を表示することとしてもよい。
【００１４】
さらに本発明の一態様に係る画像処理方法は、処理対象となった画像データに含まれる画像要素の各々を、設定されている処理パラメータを用いて、複数の画像データプレーンのいずれかに分配して処理する画像形成装置、に接続され、当該画像形成装置における前記処理パラメータの設定を支援する画像処理装置を用い、処理対象となった画像データを取得するステップと、前記取得した画像データについて、当該画像データに含まれる画像要素の各々を、所定の方法で定めた仮処理パラメータを用いて、複数の画像データプレーンのいずれかに分配する仮処理を実行し、当該分配して生成した画像データプレーンのうち少なくとも一つを前記仮処理の結果として表示するステップと、前記仮処理パラメータの設定変更指示を受けて、前記仮処理パラメータの設定を変更するとともに、当該変更後の仮処理パラメータを用いた前記仮処理を行わせるステップと、前記仮処理パラメータの設定完了指示を受けて、当該設定完了指示のあった時点での前記仮処理パラメータを、前記画像形成装置へ、処理パラメータとして送信するステップと、を含むことを特徴としている。
【００１５】
また、本発明の別の態様に係るプログラムは、処理対象となった画像データに含まれる画像要素の各々を、設定されている処理パラメータを用いて、複数の画像データプレーンのいずれかに分配して処理する画像形成装置、に接続され、当該画像形成装置における前記処理パラメータの設定を支援するプログラムであって、コンピュータに、処理対象となった画像データを取得する手順と、前記取得した画像データについて、当該画像データに含まれる画像要素の各々を、所定の方法で定めた仮処理パラメータを用いて、複数の画像データプレーンのいずれかに分配する仮処理を実行する手順と、当該分配して生成した画像データプレーンのうち少なくとも一つを仮処理の結果として表示する手順と、前記仮処理パラメータの設定変更指示を受けて、前記仮処理パラメータの設定を変更するとともに、当該変更後の仮処理パラメータを用いた前記仮処理を実行する手順と、前記仮処理パラメータの設定完了指示を受けて、当該設定完了指示のあった時点での前記仮処理パラメータを、前記画像形成装置へ、処理パラメータとして送信する手順と、を実行させることを特徴としている。
【発明を実施するための最良の形態】
【００１６】
本発明の実施形態に係る画像処理装置について、図面を参照しながら説明する。本発明の実施の形態に係る画像処理装置２００は、図１に示すように、ネットワーク３００を介して画像形成装置１００に接続されている。
【００１７】
ここで画像形成装置１００は原稿画像を読み込んで画像データを生成、出力するスキャン機能を備えたものであり、その具体的な例としては、スキャン機能のほか、コピー機能、ＦＡＸ機能など複数の機能を備えたいわゆる複合機である。本実施の形態では、この画像形成装置１００は、画像入力部１１０と、画像形成制御部１２０と、記憶部１３０と、画像出力部１４０とを含んで構成されている。また、画像処理装置２００は、操作部２１０と、画像処理制御部２２０と、記憶部２３０と、表示部２４０とを含んで構成されている。
【００１８】
画像形成装置１００の画像入力部１１０は、例えばスキャナであり、紙媒体等に固定されている画像を光学的に読み込んで、処理対象となる画像データを画像形成制御部１２０に出力する。一般に、この画像入力部１１０が出力する画像データでは、各画素の値をＲＧＢ（赤、青、緑）の色空間で表現して出力している。
【００１９】
画像形成制御部１２０は、例えばＣＰＵ等のプログラム制御デバイスであり、記憶部１３０に格納されているプログラムに従って動作する。この画像形成制御部１２０は、画像入力部１１０から処理対象となる画像データの入力を受けて、予め定められた画像処理を実行する。また、この画像形成制御部１２０は、図示しないインターフェースを介してネットワーク３００に接続されており、処理対象となった画像データや、画像処理の処理パラメータを、ネットワーク３００を介して画像処理装置２００等へ送信する。また、この画像形成制御部１２０は、画像処理装置２００から、設定変更された処理パラメータを受信して、当該処理パラメータに基づいて上記処理対象となった画像データに対する画像処理を遂行する。この画像形成制御部１２０が実行する処理の具体的な内容例については、後に述べる。
【００２０】
記憶部１３０は、ＲＡＭ等のメモリ素子や、ハードディスク等のディスクデバイス等で実現される。この記憶部１３０は、画像形成制御部１２０が実行するプログラムや、当該画像処理において用いられる処理パラメータ等を記憶している。また、この記憶部１３０は、画像形成制御部１２０のワークメモリとしても動作する。
【００２１】
画像出力部１４０は、例えばプリンタであり、画像形成制御部１２０から入力される指示に従って、形成の対象となった画像データに基づいて生成した画像を、例えば紙媒体上に形成して出力する。
【００２２】
ここで、画像形成制御部１２０が実行する処理の内容例について説明する。画像形成制御部１２０は、画像入力部１１０から処理対象となる画像データの入力を受けて、当該処理対象となった画像データを、ネットワーク３００を介して画像処理装置２００等へ送信する。
【００２３】
また、画像処理装置２００から、処理パラメータを受信すると、当該処理パラメータに基づいて上記処理対象となった画像データに対する画像処理を遂行する。ここで本実施の形態の画像形成制御部１２０が行う画像処理の一つは、文字と絵柄とを分離して別のプレーンのデータとして生成するＴ／Ｉ分離処理である。
【００２４】
すなわち、本実施の形態の画像形成制御部１２０の処理の対象となる画像データには、文字と絵柄とが画像要素として含まれる。そして画像形成制御部１２０は、これら文字、絵柄のそれぞれを、互いに異なるプレーンに分離して、圧縮処理に供するなどの処理を行う。
【００２５】
ここでＴ／Ｉ分離処理は、広く知られた処理を利用することができる。例えば、画像形成制御部１２０は、まず処理対象となった画像データについて、各画素の値の色空間を変換する。つまり、画像入力部１１０にて読み取られた画像データでは、各画素値がＲＧＢ色空間で表現されている。そこで後の処理での利便性に配慮して、輝度成分を独立の成分として分離した色空間、例えばＹＣｂＣｒ（輝度成分と色差成分とからなる色空間）の値として、各画素値を変換する。
【００２６】
次に画像形成制御部１２０は、変換後の画素値のうち、輝度成分を利用して画像データを二値化処理する。そして、二値化後の画像データについて、有意画素（例えば黒画素）の連続領域を特定し、各連続領域に外接する矩形の面積や外周長（辺の長さの和）に基づいて各有意画素の連続領域が文字であるか、絵柄であるかを判断する。例えば、面積に対して外周長が所定のしきい値より大きいときには、外接矩形が細長形状であることを意味し、それに内包される連続領域が文字とは考えにくい。そこで、面積に対して外周長が大きい場合は、当該矩形に内包される有意画素は、絵柄に係るものと判断する。
【００２７】
また、画像形成制御部１２０は、以上の処理を、画像データ全体に対して行うのではなく、特定のプレーン（例えば絵柄プレーン）に分類するべき領域を特定する情報の入力を受けて、当該情報で特定される領域内の有意画素については、上記のような外接矩形を用いた判断などを行うことなく、予め定めたプレーンに含めるべき画像要素であるとして処理してもよい。
【００２８】
このような処理を行う場合の処理パラメータは、二値化のしきい値を定めるパラメータや、外接矩形の面積・外周長の比に係るしきい値（文字・絵柄を判断するための閾値）、さらには、特定のプレーンに分類するべき領域を特定する情報などの座標情報のパラメータなどである。そこで画像処理装置２００では、これらの処理パラメータの設定を、利用者から受け入れて、画像形成装置１００側へ送信することになる。
【００２９】
以下、画像処理装置２００の動作について説明する。画像処理装置２００の操作部２１０は、例えばキーボードやマウスであり、利用者が行った指示操作の内容を画像処理制御部２２０へ出力する。
【００３０】
画像処理制御部２２０は、ＣＰＵ等のプログラム制御デバイスであり、記憶部２３０に格納されているプログラムに従って動作する。本実施形態では、この画像処理制御部２２０は、画像形成装置１００から受信した、処理対象となる画像データを用いて、処理パラメータを利用者に設定させる処理を実行する。この処理の内容例については後に述べる。
【００３１】
記憶部２３０は、ＲＡＭ等のメモリ素子や、ハードディスク等のディスクデバイス等で実現されている。この記憶部２３０には、画像処理制御部２２０が実行する処理のプログラムが格納される。また、この記憶部２３０は、画像処理制御部２２０のワークメモリとしても動作する。
【００３２】
表示部２４０は、例えばＣＲＴディスプレイや、液晶ディスプレイであり、画像処理制御部２２０から入力される指示に従って、画像データや、処理パラメータの入力を受け入れるための入力欄、ボタンアイコンなどを表示する。
【００３３】
ここで、画像処理制御部２２０の処理の具体例について説明する。本実施の形態の画像処理制御部２２０が実行するプログラムは、画像形成装置１００側で行われる処理をシミュレートする、仮処理を実行するものであり、機能的には、図２に示すように、仮処理パラメータ初期化部２２１と、画像要素分離部２２２と、仮表示部２２３と、仮処理パラメータ設定取得部２２４とを含んで構成されている。
【００３４】
画像処理制御部２２０は、画像形成部１００から受信した画像データに対して、ＹＣｂＣｒ等の色空間への色変換処理、ノイズ除去（孤立点除去）の前処理などを行ってから、図２に示す仮処理を実行する。
【００３５】
仮処理パラメータ初期化部２２１は、画像形成装置１００において利用される処理パラメータに対応する仮処理パラメータの初期値を設定する。ここで初期値は、画像形成装置１００側で現在設定されている処理パラメータを取得することとしてもよいし、予め定められた値としてもよい。ここでは仮処理パラメータとして、二値化のしきい値（以下、二値化しきい値と呼ぶ）を定めるパラメータと、外接矩形の面積・外周長の比に係るしきい値（文字・絵柄を判断するための閾値、以下、判定しきい値と呼ぶ）と、特定のプレーンに分類するべき領域を特定する情報（以下、領域指定情報と呼ぶ）とが設定されるものとする。
【００３６】
画像要素分離部２２２は、前処理後の画像データに含まれる画素のうち、その輝度成分が、仮処理パラメータの二値化しきい値未満となっている画素を黒画素、それ以外の画素を白画素として、画像データを二値化処理する。
【００３７】
そして二値化後の画像データについて、有意画素（例えば黒画素）の連続領域を特定し、各連続領域に外接する矩形の面積や外周長（辺の長さの和）に基づいて各有意画素の連続領域が文字であるか、絵柄であるかを判断する。ここでは面積に対する外周長の比を演算し、仮処理パラメータの判定しきい値と、当該演算した比とを比較して、各矩形ごとに内包する有意画素が文字であるか絵柄であるかを判断することになる。
【００３８】
画像要素分離部２２２は、文字と判断した有意画素に対応する、処理対象の画像データの画素の値に、文字プレーンの画像データ（文字画像データプレーン）の対応する画素の値を設定する。また、絵柄と判断した有意画素に対応する、処理対象の画像データの画素に、絵柄プレーンの画像データ（絵柄画像データプレーン）の対応する画素の値を設定する。
【００３９】
さらに、画像要素分離部２２２は、処理パラメータのうち、領域指定情報によって特定される領域内の有意画素については、予め定めたプレーン（例えば絵柄画像データプレーン）に含めるべき画像要素であるとして処理する。
【００４０】
仮表示部２２３は、画像要素分離部２２２が生成した文字画像データプレーン、又は絵柄画像データプレーンの少なくとも一方を表示部２４０に表示する。ここで仮表示部２２３は、処理対象となった（分離前の）画像データを併せて表示するようにしてもよい。すなわち、仮表示部２２３による表示の結果は、図３に例示するように、処理対象となった元の画像データＰ１と文字画像データプレーンの画像Ｐ２とを含む。この例では、文字画像データプレーンに、絵柄の一部が残存してしまっている例を表している。
【００４１】
仮処理パラメータ設定取得部２２４は、利用者から仮処理パラメータを変更する指示（設定変更指示）の入力を受けて、当該指示に従って仮処理パラメータを変更して、画像要素分離部２２２に対して、さらに、変更後の仮処理パラメータに従って仮処理を実行するよう指示する。
【００４２】
また、この仮処理パラメータ設定取得部２２４は、仮処理パラメータの設定を完了する指示（設定完了指示）を受けて、当該設定完了指示があった時点での仮処理パラメータを、画像形成装置１００へと、処理パラメータとして送信する。
【００４３】
例えば、この仮処理パラメータ設定取得部２２４は、仮表示部２２３によって表示された画面上にカーソルを表示し、利用者が、このカーソルを移動操作することで領域指定情報を入力できるようにしてもよい。図３では、利用者が矩形の画像領域Ｓを、絵柄画像データプレーンに含まれるべき部分として設定している状態を示している。例えば、この画像領域Ｓの対角線上の２つの座標情報が、仮処理パラメータとして用いられる。
【００４４】
本実施の形態によると、利用者が仮処理パラメータを変更すると、当該変更後の仮処理パラメータを用いて文字・絵柄の分離処理が実行され、当該分離処理の結果が提示される。利用者が仮処理パラメータの設定を完了する指示を行うまで、この処理が繰り返して実行される。これにより、利用者は、表示された結果を参照しながら所望の状態を満足する仮処理パラメータ（画像形成装置１００において処理パラメータとして用いられる値）を設定することができる。
【００４５】
また、仮処理の結果の提示は、図３に示したような例に限られない。例えば、画像要素分離部２２２は、仮処理パラメータの候補値を複数生成し、各候補値に対応する仮処理を実行し、各候補値に対応する仮処理の結果である画像データプレーンを生成して、当該画像データプレーンの少なくとも一つ（例えば、各仮処理の結果に係る文字画像データプレーン）を表示するようにしてもよい（図４）。
【００４６】
この場合、利用者は、表示された候補値ごとの処理結果のうち、所望の状態であるものを選択する指示操作を行う。図４の例では所望の状態にある画像に対応するラジオボタンのインタフェースをクリックして選択する例を示している。そして、仮処理パラメータ設定取得部２２４は、選択された処理結果に対応する候補値を、設定された仮処理パラメータとして受け入れて（つまり、選択の指示操作を設定完了指示として）、当該仮処理パラメータを、画像形成装置１００へと、処理パラメータとして送信する。
【００４７】
画像形成装置１００では、こうして画像処理装置２００側で設定されて送信された処理パラメータを受信して、当該受信した処理パラメータによって、文字・絵柄の分離処理を実行し、その結果を出力する。なお、画像形成装置１００側では、当該受信した処理パラメータを、記憶部１２０に保持し、後の分離処理における初期値として利用することとしてもよい。
【００４８】
また、画像データプレーンは画像内（頁）の配置位置を保ったもの、即ち画像のレイヤー層として説明したが、例えば、文字画像や階調画像というように各画像要素をその属性に応じて単に分類するものであってもよく、各分類（データプレーン）の属性に各々応じて各画像要素が処理されるものであればよい。
【００４９】
さらに、ここまでの説明では画像形成装置１００と画像処理装置２００とは別体の装置であるとしていたが、これらは一体の装置であっても構わない。その場合、制御部や、記憶部などは、同一のものを共用するようにしてもよい。
【００５０】
この場合、画像処理装置２００自体が、処理対象となった画像データを取得し、当該画像データに含まれる画像要素の各々を、所定の方法で定めた仮処理パラメータを用いて、複数の画像データプレーンのいずれかに分配するとともに、当該分配して生成した画像データプレーンのうち少なくとも一つを仮処理の結果として表示し、仮処理パラメータの設定変更指示を受けて、仮処理パラメータの設定を変更するとともに、当該変更後の仮処理パラメータを用いた処理を行わせ、仮処理パラメータの設定完了指示を受けて、当該設定完了指示のあった時点での仮処理パラメータを処理パラメータとして、上記分離処理を行い、その分離処理の結果を出力する。
【図面の簡単な説明】
【００５１】
【図１】本発明の実施の形態に係る画像処理システムを表す図である。
【図２】本発明の実施の形態に係る画像処理制御部の機能ブロック図である。
【図３】本発明の実施の形態に係る画像処理装置が提示する画面の例を表す説明図である。
【図４】本発明の実施の形態に係る画像処理装置が提示する画面の他の例を表す説明図である。
【符号の説明】
【００５２】
１００  画像形成装置、１１０  画像入力部、１２０  画像形成制御部、１３０，２３０  記憶部、１４０  画像出力部、２００  画像処理部、２１０  操作部、２２０  画像処理制御部、２２１  仮処理パラメータ初期化部、２２２  画像要素分離部、２２３  仮表示部、２２４  仮処理パラメータ設定取得部、２４０  表示部、３００  ネットワーク。
【図１】
2006262257.tif 000003
【図２】
2006262257.tif 000004
【図３】
2006262257.tif 000005
【図４】
2006262257.tif 000006